(57)【要約】【課題】  この発明は、まったく新しい方式でマッサージ中の心身を心地よくすることができるようなマッサージ器の提供を課題とする。【解決手段】  筐体１とこの中に収められた回転軸３０に重錘３１が偏心状態で固定された電動モータ３と、この筐体１の中に収められたフレグランスポッド２（香料容器）と、から成るマッサージ器を提供する。また電動モータ３の回転軸３０に偏心状態で取り付けられた重錘８と、この重錘８の上記回転軸３０の取付側とは反対側でかつ上記回転軸３０から外れた箇所に設けられたピン３８と、このピン３８に回転自在に組み付けられたロッド７０と、このロッド７０の先端部設けられた指圧部７と、から成る指圧器を提供する。香料の香りが臭覚を刺激して更なるリラックス効果を上げ得る。その用途として美顔マッサージや頭皮マッサージや凝った筋肉のマッサージなどが上げられる。【選択図】図１
2016067951.tif 000002
【特許請求の範囲】
【請求項１】
筐体と、該筐体内に収められた電気的振動発生装置と、前記該筐体内に収められた香料容器と、から成るマッサージ器。
【請求項２】
前記香料容器は、前記香料としての香水を納める容器である、請求項１に記載のマッサージ器。
【請求項３】
更に前記香料容器の口に、前記香料を徐々に放散させる部材を設けて成る、請求項１に記載のマッサージ器。
【請求項４】
前記香料が固形状またはゲル状のものであり、これを納める前記香料容器にヒータを併設して成る、請求項１に記載のマッサージ器。
【請求項５】
前記筐体は、リップスティック形状を模して成るものである、請求項１乃至請求項４の何れか一に記載のマッサージ器。
【請求項６】
前記筐体は、身体接触部位を広範囲に摩ることが出来る壺底の壺形状を有するものである、請求項１乃至請求項４の何れか一に記載のマッサージ器。
【請求項７】
前記電気的振動発生装置は、モータと、該モータの回転軸に偏心状態に取り付けられた重錘と、から成るものである、請求項１乃至請求項６の何れか一に記載のマッサージ器。
【請求項８】
筐体と、該筐体内に収められた電気的往復運動発生装置と、この電気的往復運動発生装置に取り付けられた身体を指圧するための指圧部と、前記該筐体内に収められた香料容器と、から成るマッサージ器。
【請求項９】
前記香料容器は、前記香料としての香水を納める容器である、請求項８に記載のマッサージ器。
【請求項１０】
更に前記香料容器の口に、前記香料を徐々に放散させる部材を設けて成る、請求項８に記載のマッサージ器。
【請求項１１】
前記香料が固形状またはゲル状のものであり、これを納める前記香料容器にヒータを併設して成る、請求項８に記載のマッサージ器。
【請求項１２】
前記筐体は、リップスティック形状を模して成るものである、請求項８乃至請求項１１の何れか一に記載のマッサージ器。
【請求項１３】
前記筐体は、その内部に前記香料容器を納めやすい球形状を有するものである、請求項８乃至請求項１１の何れか一に記載のマッサージ器。
【請求項１４】
前記電気的往復運動発生装置は、モータと該モータの回転軸に設けられたクランクと、このクランクに取り付けられた前記指圧部と、から成るものである、請求項８乃至請求項１１の何れか一に記載の身体接触部位を摩るマッサージ器。
【請求項１５】
前記電気的往復運動発生装置は、モータと該モータの回転軸に偏心状態に取り付けられた重錘と、この重錘の前記回転軸とは異なる部位に取り付けられた前記指圧部と、から成るものである、請求項８乃至請求項１１の何れか一に記載のマッサージ器。
【発明の詳細な説明】
【技術分野】
【０００１】  本発明は、これまでにない新感覚を伴う摩りが可能なマッサージ器に関する。
【背景技術】
【０００２】  特許第３７５２９２８号は当発明者の発明になるマッサージ器である。このマッサージ器はモータのシャフトに重錘が偏心状態で取り付けられており、モータを回転させることによってシャフトに取り付けられた偏心重錘が振動を発生し、これによって身体接触部位のマッサージを行うものであり、更にモータと一体化する可変抵抗器を備えたマッサージ器でもある。【０００３】  電池や家庭用電源アダプターから供給される電力によってモータが駆動されるが、この際に可変抵抗器を調節することで振動の強弱などを変えることが可能である。従って身体接触部位によって気持ちの良い振動に合わせることが出来る効果を奏する。
【先行技術文献】
【特許文献】
【０００４】
【特許文献１】特許第３７５２９２８号公報
【発明の概要】
【発明が解決しようとする課題】
【０００５】  確かに振動の強弱などが調節可能であれば、身体接触部位に合った気持ちの良い振動を生じさせることが出来る。しかしながら当発明者は、振動の強弱やパターンを調節するのではないやり方で、マッサージ中の心身を心地よくする方法はないものかと思考した。【０００６】  すなわちこの発明は、まったく新しい方式でマッサージ中の心身を心地よくすることが可能なマッサージ器の提供を課題とするものである。
【課題を解決するための手段】
【０００７】  このため本発明は、筐体と、該筐体内に収められた電気的振動発生装置と、前記該筐体内に収められた香料容器と、から成る身体接触部位を摩るマッサージ器を提供することで上記課題を解決する。電気的振動発生装置によって自動的に患部をマッサージすることが出来ると共に、香料容器から発する香りが臭覚を刺激して更なるリラックス効果を上げることが出来る。マッサージに於いて香料の香りを伴う感覚はまったく新しく癒し的なものである。その用途として美顔マッサージや頭皮マッサージや凝った筋肉のマッサージなどを上げる。【０００８】  次に、香料容器は香料としての香水を納めるガラスなどの容器としても良い。すなわち香料に香水を使用するのである。香料には主として固形状のものやゲル状のものや液状のものを使用することが出来る。またこれ等は香を自然に蒸散させたり、熱によって蒸発させたりするものである。特に液状のものに顕著であるが、電気的振動発生装置からの振動によって蒸散量の増大する現象が見られる構成にする、すなわち香料容器の口を広いものにしたりする場合がある。【０００９】  更に香料容器の口に、液体等香料を徐々に放散させる部材を設けて成るものとすることが出来る。液体等香料であってもその表面張力によって、香料容器の口を下方に向けても香料が零れないような大きさの口とすることが出来る。しかしながら上記香料容器の口に香料の種類に適合する竹栓やフェルト布や連続気泡樹脂の蓋部などの部材を設けることによっても、液体等香料を零すことなく香水を徐々に放散させ得るのである。なおこの構成でも電気的振動発生装置からの振動により蒸散量の増大する現象が見られる場合がある。【００１０】  次に、上記各種のマッサージ器に於いて、筐体は、リップスティック形状を模して成るものとすることが出来る。リップスティック形状はおしゃれなものであり香料容器として好適であるのみならず、身体接触部位をピンポイントで摩ることが可能であると言う特長を有する。従って指圧のような効果を身体に与えることが出来る。【００１１】  次に、上記各種のマッサージ器に於いて、筐体は、身体接触部位を広範囲に摩ることが出来る壺底の壺形状を有するものとすることが出来る。壺形状の容器例えば壺は香料容器として安定して置くことが出来る。またこの壺底部分を身体に押し当てることで掌を用いた按摩のような効果を身体接触部位に与えることが出来る。【００１２】  さてこの発明の電気的振動発生装置は、モータとこのモータの回転軸に偏心状態に取り付けられた重錘とから成るものとすることが出来る。構成が比較的簡易な電気的振動発生装置には、スピーカのような永久磁石とコイルとの組合せに成る振動発生装置の他にも、重錘をモータの回転軸に偏心状態に取り付けた振動発生装置がある。このものは長時間の使用に耐えると共に製造が容易であると言う特長を有する。【００１３】  更に、重錘が香料容器を兼ねるものとしても良い。空気中で振動を伴って回転する香料容器からは効率的に香料が蒸散する。【００１４】  また本発明は、筐体と、該筐体内に収められた電気的往復運動発生装置と、この電気的往復運動発生装置に取り付けられた身体を指圧するための指圧部と、前記該筐体内に収めら��た香料容器と、から成る身体接触部位を指圧するマッサージ器を提供することで上記課題を解決する。電気的往復運動発生装置によって自動的に患部に指圧作用を及ぼすことが出来ると共に、香料容器から発する香りが臭覚を刺激して更なるリラックス効果を上げることが出来る。凝りなどのある身体部位や健康増進を期す身体部位への指圧に於いて、香料の香りを伴う感覚はまったく新しく癒し的なものである。【００１５】  なお上述した本発明の身体接触部位を摩るマッサージ器と同様、この身体接触部位を指圧するマッサージ器に於いても、前記香料容器が前記香料としての香水を納める容器であるものとすることが出来る。また更に前記香料容器の口に、前記香料を徐々に放散させる部材を設けて成るものとしても良い。また前記香料が固形状またはゲル状のものであり、これを納める前記香料容器にヒータを併設して成るものとすることが可能である。【００１６】  またこれ等に於いて前記筐体は、リップスティック形状を模して成るものとすることが出来る。同様に前記筐体は、その内部に前記香料容器を納めやすい球形状を有するものとすることが出来る。筐体が球形状であると容積が大きいため、電気的往復運動発生装置や指圧部を避けて香料容器を納める空間が十分に取れると言う利点がある。【００１７】  次に、この発明の前記電気的往復運動発生装置は、モータと、該モータの回転軸に設けられたクランクと、このクランクに取り付けられた前記指圧部と、から成るものとすることが出来る。指圧部がクランクに取り付けられているため、モータによってクランクが回転すると、回転軸の回転運動は指圧部の往復運動に変換され、この往復運動を発する指圧部によって身体接触部位に押圧刺激を加えることが可能になる。クランク機構は比較的に構造が簡単で製造しやすい。【００１８】  また、前記電気的往復運動発生装置は、モータと該モータの回転軸に偏心状態に取り付けられた重錘と、この重錘の前記回転軸とは異なる部位に取り付けられた前記指圧部と、から成るものとすることが出来る。モータの回転軸が回転すると、（１）回転軸に偏心状態に取り付けられた重錘が振動を発して、上述した電気的振動発生装置の働きが見られるようになる。これと同時に、（２）偏心状態で回転する重錘の、前記回転軸から外れた部位に前記指圧部が設けられていることによって、恰も重錘が上述のクランクのような作用を現ずるようになる。従ってこの発明の前記電気的往復運動発生装置はまた、この発明の電気的振動発生装置ともなっている。
【発明の効果】
【００１９】  以上本発明のマッサージ器によれば、身体に接触させるだけでこの部位をマッサージすることが出来ると共に、香料容器から発する香りが臭覚を刺激してより一層のリラックス効果を上げることが出来るようになっている。マッサージ器の電源スイッチを入れることで香料の香りが辺りに漂うため、これは新感覚のマッサージ効果であると言い得る。
【図面の簡単な説明】
【００２０】
【図１】  （Ａ）実施例１の組立状態の説明図である。（Ｂ）実施例１の分解状態の説明図である。
【図２】  実施例１を構成する各ブロックによる説明図である。
【図３】  実施例２の説明図である。
【図４】  実施例２を構成する各ブロックによる説明図である。
【図５】  実施例３のフレグランスポッドの説明図である。
【図６】  実施例４の説明図である。
【図７】  実施例５の説明図である。
【図８】  実施例５の動作状態の説明図である。
【図９】  実施例６の動作状態の説明図である。
【発明を実施するための形態】
【００２１】  以下では本発明のツボ押し用や美顔用の、凝り解し用のマッサージ器の実施例を図面に基づいて説明するが、本発明はこれ等に限定されるものではなく、本発明の思想の範囲内で工夫される種々変形例もまた本発明の権利範囲に含まれるものである。
【実施例１】
【００２２】  図１の（Ａ）は実施例１の組立状態の全体を表した説明図であり、（Ｂ）はそれを組み立てる前の分解状態の説明図である。筐体１の一端部には回動させてＯＮ／ＯＦＦや振動状体を選択するためのスイッチ１０が設けられている。筐体１の他端部は身体接触部１２をその挿着部１３から挿入して止めるための口が開けられている。この身体接触部１２の内部は中空部１４となっており、ここに、香料容器としてのフレグランスポッド２を挿着するとその口部２０が接触する、フェルト布２１が設けられており、フレグランスはこのフェルト布２１が吸収して発散させる。なおこの実施例で使用するフレグランスは液体香料である。【００２３】  上記筐体１の内部には、その支持部１１によって電動モータ３が固定されている。この電動モータ３の回転軸３０に重錘３１が偏心状体で取り付けられており、回転軸３０の回転時には強い振動を発するように構成されている。このように電気的振動発生装置が構成されている。また上記スイッチ１０の側は開口自在であり、ここから乾電池３２が着脱できるように構成されている。【００２４】  なお図示しない制御回路４から上記スイッチ部１０の所に回路としてのスイッチ３３が設けられる。また制御回路からは図示しないＬＥＤ３３に配線があり、上記スイッチ３３がＯＮ状態で点灯するように構成されている。内蔵する乾電池３２はスイッチ３３を経由してこの制御回路４や上記電動モータ３に電力を供給し得るように配線されている。なお図示しない制御回路を筐体１内に収容して電動モータ２の回転スピードの制御などの回転制御を行わせるように構成されている。【００２５】  こうしてスイッチ１０部を捻りＯＮ状態にして電動モータ３を回転させると、振動が発生して身体接触部１２にてマッサージを行うことが出来る。フレグランスは上記フェルト布２１から発散される。この発散量を調節し得るような調節孔を身体接触部１２に設けるようにしても良い。なお図２に表すように、フレグランスポッド２が電動モータ３の近くに設けられていることにより、その振動を受けてフレグランスポッドのフレグランスが活性する状況が見られる場合がある。
【実施例２】
【００２６】  図３で表したこの実施例の凝り解し用のマッサージ器は、筐体５の下側が身体接触部５１となっており、この広い部分で身体を揉みほぐし得るような形状に構成されている。また上側には電源スイッチ５０が設けられている。【００２７】  また鎖線で表したように、筐体５の内部には固形香料２６や重錘３１を有する電動モータ３や充電池３６を備えている。上記固形香料２６にはヒータ３５が接触しており、制御回路４がコントロールする充電池３６からの電力でヒータ３５が暖められると、これに隣接する固形香料２６のフレグランスがより活発に活動するように構成されている。【００２８】  固形香料２６には、液状のものに比して扱いがより容易であると言う特長がある。またヒータには、発散させる香料の量を制御出来る利点がある。温もりを感じさせる用途にも用いることが出来る。なお電気的なヒータを用いるのではなく、例えば人の体温で溶けるような固形状やゲル状などの香料を用いるように設計することもまた可能である。あるいは発散に電動モータの振動を利用し得るように構成することも出来る。
【実施例３】
【００２９】  図５では２つの種類が異なるフレグランスを入れるべくプラスチック製のフレグランスポッド２，２２を備える場合を表わす。各々のフレグランスポッド２，２２にはキャップ２２，２５が付けられているので、香らせたい側のキャップを外すようにして使用すれば良い。
【実施例４】
【００３０】  図６で表すように、筐体６の一端部には回動させてＯＮ／ＯＦＦや振動状体を選択するためのスイッチ６５が設けられており、また筐体６の他端部にはドーム６０が設けられている。このドーム６０の内部は中空であり、ここに固形香料２６とヒータ３５とが納められている。このヒータ３５は充電池３６に配線されている。【００３１】  上記筐体６の頂部には電動モータ３が固定されており、この電動モータ３の回転軸３０にクランク３７が取り付けられており、クランク３７に回転自在に組み付けられたロッド７０の先端部に指圧部７が設けられており、指圧部７は上記ドーム６０の横の開口部６１をくぐって往復動し得るようになっている。【００３２】  こうしてスイッチ６５を捻りＯＮ状態にして電動モータ３を回転させるようにすると、クランク３７の回転がロッド７０の往復運動に変換され、指圧部７が往復運動を行うようになる。そこでこの指圧部７を身体の指圧をしたい部位に当てるようにするのである。【００３３】  なお上記ヒータ３５に通電すると、充電池３６からの電力でヒータ３５が暖められて、これに隣接する固形香料２６のフレグランスが発散する。
【実施例５】
【００３４】  図７で表すように、筐体６の一端部には上記スイッチ６５が設けられており、また筐体６の他端部にはドーム６２が設けられている。このドーム６２の内部は中空であり、またドーム６２の頂部には装着口６４が開口されており、フレグランスポッド２７がこの装着口６４からドーム６２の中に装着し得るようになっている。【００３５】  上記筐体６の頂部には電動モータ３が固定されており、この電動モータ３の回転軸３０には重錘８が偏心状態で取り付けられている。更にこの重錘８の上記回転軸３０の取付側とは反対側でかつ上記回転軸３０から外れた箇所にピン３８が設けられ、このピン３８に回転自在に組み付けられたロッド７０の先端部に指圧部７が設けられており、指圧部７は上記ドーム６２の横の開口部６３をくぐって往復動し得るようになっている。【００３６】  そこでスイッチ６５を捻りＯＮ状態にして電動モータ３を回転させると、回転軸３０に偏心状態で取り付けられた重錘８が回転して振動を発生する。この振動はドーム６２に伝達されるため、ドームの例えば上記指圧部７がある面とは反対側の面を身体に接触させると、この振動によるマッサージ効果を得ることが出来る。【００３７】  一方、図８及び図９で表すように、重錘８が回転すると上記ピン３８が回転軸３０から外れた部位で回転運動を行うため、回転軸３０と重錘８とピン３８とはクランクの役目をすることになり、ピン３８の回転自在に組み付けられたロッド７０の往復運動が見られるようになる。このロッド７０の先端部分には指圧部７があるため、これが身体に接触することによって身体に指圧作用を及ぼすことになる。指圧部７の動作状態は図８及び図９の鎖線で描いた指圧部７から明らかである。【００３８】  なお上記モータ３の制御系や電源などに関しては、上述した実施例１や実施例２の記載が参考となる。【００３９】  なお実施例５の回転軸３０と重錘８とピン３８とロッド７０とから成る、恰もクランク機構のように動作する機構と、回転軸３０と重錘８とから成る振動発生機構と、の組み合わせに成る構成は、まったく新しい着想であるため、この機構に注目する限りに於いてはフレグランスポッド２７はこの機構にはあっても無くても良いものである。すなわち図７の装着口６４やフレグランスポッド２７を設けない構成にして、新たな電気的往復運動発生装置として提供することが出来るのである。
【その他の実施例】
【００４０】  なお本発明のマッサージ器を風呂場で用いることが出来るようにしたいのであれば、電動モータ３を防水を施されたものとしたり、乾電池や充電池などの電気系統に防水処理を施すようにすると良い。また香料容器の形態は、例えば重錘そのものである（香料が錘としての重量を有する）場合など、どのようなものであっても良いし、香料の種類の選択も任意である。室内用や車内用の芳香剤も好適例となる。
【産業上の利用可能性】
【００４１】  本発明のマッサージ器の形状や素材は任意選択が可能である。患部に適する構成を採用すれば良い。また本発明のマッサージ器はマッサージチェアのアタッチメントとして構成したり、これ単独で用いるペット用のマッサージ器として構成することが可能である。
【符号の説明】
【００４２】  １    筐体
１０  スイッチ
１１  支持部
１２  身体接触部
１３  挿着部
１４  中空部
２    フレグランスポッド
２０  口部
２１  フェルト布
２２  キャップ
２３  フレグランスポッド
２４  口部
２５  キャップ
２６  固形香料
２７  フレグランスポッド
３    電動モータ
３０  回転軸
３１  重錘
３２  乾電池
３３  スイッチ
３４  ＬＥＤ
３５  ヒータ
３６  充電池
３７  クランク
３８  ピン
４    制御回路
５    筐体
５０  スイッチ
５１  身体接触部
６    筐体
６０  ドーム
６１  開口部
６２  ドーム
６３  開口部
６４  装着口
６５  スイッチ
７    指圧部
７０  ロッド
８    重錘
【図１】
2016067951.tif 000003
【図２】
2016067951.tif 000004
【図３】
2016067951.tif 000005
【図４】
2016067951.tif 000006
【図５】
2016067951.tif 000007
【図６】
2016067951.tif 000008
【図８】
2016067951.tif 000009
【図７】
2016067951.tif 000010
【図９】
2016067951.tif 000011